(57)【要約】【課題】本発明は、良好な立体表示が可能な液晶レンズセルを備える立体視表示装置等を提供することを主目的とする。【解決手段】本発明は、表示装置と、上記表示装置の観察者側の表面上に配置された液晶レンズセルと、上記液晶レンズセルの観察者側の表面上に配置された低反射層とを有することを特徴とする立体視表示装置を提供することにより、上記目的を達成する。【選択図】図１
2016040569.tif 000002
【特許請求の範囲】
【請求項１】
表示装置と、
前記表示装置の観察者側の表面上に配置された液晶レンズセルと、
前記液晶レンズセルの観察者側の表面上に配置された低反射層と
を有することを特徴とする立体視表示装置。
【請求項２】
前記低反射層が、低反射層用基板またはセンサー基板上に配置されているものであることを特徴とする請求項１に記載の立体視表示装置。
【請求項３】
低反射層が、前記立体視表示装置の観察者側の最表面に配置されていることを特徴とする請求項１または請求項２に記載の立体視表示装置。
【請求項４】
液晶レンズセルと、
前記液晶レンズセルの観察者側の表面上に配置された低反射層と
を有することを特徴とする低反射層付液晶レンズセル。
【請求項５】
表示装置と、前記表示装置の観察者側の表面上に配置された液晶レンズセルとを備える立体視表示装置に用いられ、前記液晶レンズセルの観察者側の表面上に配置される低反射層付センサー基板であって、
センサー基板と、
前記センサー基板の観察者側の表面上に配置された低反射層と
を有することを特徴とする低反射層付センサー基板。
【発明の詳細な説明】
【技術分野】
【０００１】
本発明は、液晶レンズセルを備える裸眼式立体視表示装置に関する。
【背景技術】
【０００２】
近年、表示装置の分野においては、３次元表示（立体表示）をすることへの要望が高まってきている。表示装置において、３次元表示をするには、何らかの方法により観察者に対して右目用の映像と左目用の映像とを分けて観察させる必要がある。３次元表示の方式としては、例えば偏光レンズ等を有する３次元表示用のメガネを用いる方式もあるが、近年、観察者に裸眼で３次元表示を観察させる裸眼式３次元表示方式が注目を集めている。
【０００３】
裸眼式立体視表示装置としては、例えば、パララックスバリア基板を備える立体視表示装置が実用化されている。
上記パララックスバリア基板は、液晶層内に電界をかけることで、遮光部および透過部をストライプ状に形成することにより、上記表示装置に表示された左眼画像と右眼画像とを分離して裸眼立体視を可能にするものである。
このようなパララックスバリア基板としては、例えば、特許文献１や特許文献２に記載されるように、液晶分子を含む液晶層および上記液晶層を挟持する偏光板を有するものを用いることができる。
【先行技術文献】
【特許文献】
【０００４】
【特許文献１】特開２０１２−１８１２７５号公報
【特許文献２】特開２０１３−２３５１５９号公報
【特許文献３】特開２０１２−１７３５１７号公報
【特許文献４】特開２０１２−１７３３１８号公報
【発明の概要】
【発明が解決しようとする課題】
【０００５】
裸眼式立体視表示装置として、液晶レンズセルを備える立体視表示装置が提案されている（特許文献３、４）。液晶レンズセルは、偏光板を必要としない構成であることからパララックスバリア基板に比べて透過率を高くすることが可能であり、立体視表示装置の省エネルギー化を図ることができることが期待されている。また、液晶レンズセルを備える立体視表示装置は、パララックスバリア基板を備える立体視表示装置に比べて、理論上では立体表示を視認することができる角度を広くすることが可能であり、多視点からの立体表示の視認が可能である。
【０００６】
しかしながら、液晶レンズセルを備える立体視表示装置においては、未だ十分な立体表示を行うことが困難であり、実用化に至っていない。
【０００７】
本発明は上記実情に鑑みてなされたものであり、良好な立体表示を行うことが可能な立体視表示装置、ならびにこれに用いる低反射層付液晶レンズセルおよび低反射層付センサー基板を提供することを主目的とする。
【課題を解決するための手段】
【０００８】
上記目的を達成するために、本発明者らが、鋭意研究を行なった結果、液晶レンズセルを備える立体視表示装置においては、液晶レンズセルの観察者側の表面における外光反射が立体表示特性の低下に大きく影響することを初めて見出し、本発明を完成させるに至った。
【０００９】
すなわち、本発明は、表示装置と、上記表示装置の観察者側の表面上に配置された液晶レンズセルと、上記液晶レンズセルの観察者側の表面上に配置された低反射層とを有することを特徴とする立体視表示装置を提供する。
【００１０】
本発明によれば、低反射層を有することにより、良好な立体表示を行うことが可能な立体視表示装置とすることができる。
【００１１】
上記発明においては、上記低反射層が、低反射層用基板またはセンサー基板上に配置されているものであってもよい。液晶レンズセルと低反射層とを別工程で形成することができ、立体視表示装置の製造方法を簡便なものとすることができる。
【００１２】
上記発明においては、上記低反射層が、上記立体視表示装置の観察者側の最表面に配置されていることが好ましい。立体視表示装置の最表面における外光反射をより効果的に抑制することができ、より良好な立体表示を行うことができるからである。
【００１３】
本発明は、液晶レンズセルと、上記液晶レンズセルの観察者側の表面上に配置された低反射層とを有することを特徴とする低反射層付液晶レンズセルを提供する。
【００１４】
本発明によれば、上記低反射層を有することにより、立体視表示装置とした際に良好な立体表示を行うことが可能な低反射層付液晶レンズセルとすることができる。
【００１５】
本発明は、表示装置と、上記表示装置の観察者側の表面上に配置された液晶レンズセルとを備える立体視表示装置に用いられ、上記液晶レンズセルの観察者側の表面上に配置される低反射層付センサー基板であって、センサー基板と、上記センサー基板の観察者側の表面上に配置された低反射層とを有することを特徴とする低反射層付センサー基板を提供する。
【００１６】
本発明によれば、低反射層を有することにより、上記構成を有する立体視表示装置とした際に良好な立体表示を行うことが可能な低反射層付センサー基板とすることができる。
【発明の効果】
【００１７】
本発明の立体視表示装置においては、良好な立体視表示を行うことが可能であるといった作用効果を奏する。
【図面の簡単な説明】
【００１８】
【図１】本発明の立体視表示装置の一例を示す概略断面図である。
【図２】本発明の低反射層付液晶レンズセルの一例を示す概略断面図である。
【図３】本発明の低反射層付液晶レンズセルの他の例を示す概略断面図である。
【図４】本発明の低反射層付液晶レンズセルの他の例を示す概略断面図である。
【図５】本発明の低反射層付液晶レンズセルの他の例を示す概略断面図である。
【図６】本発明の低反射層付センサー基板の一例および他の例を示す概略断面図である。
【発明を実施するための形態】
【００１９】
本発明の立体視表示装置、およびこれに用いる低反射層付液晶レンズセル、低反射層付センサー基板の詳細を説明する。
【００２０】
Ａ．立体視表示装置
本発明の立体視表示装置は、表示装置と、上記表示装置の観察者側の表面上に配置された液晶レンズセルと、上記液晶レンズセルの観察者側の表面上に配置された低反射層とを有することを特徴とするものである。
【００２１】
本発明の立体視表示装置について図を用いて説明する。
図１は本発明の立体視表示装置の一例について示す概略断面図である。図１に示すように、立体視表示装置１は、表示装置２と、表示装置２の観察者側の表面上に配置された液晶レンズセル３と、液晶レンズセル３の観察者側の表面上に配置された低反射層４とを有することを特徴とするものである。
【００２２】
本発明によれば、上記低反射層を有することにより、裸眼による良好な立体視が可能な立体視表示装置とすることができる。
【００２３】
液晶レンズセルを用いた立体視表示装置については、十分な立体表示を行うことが困難であり、未だ実用化に至っていない。また、上記立体視表示装置においては、特に、屋外等の明るい環境での立体表示特性が低いという問題がある。
本発明者らは、液晶レンズセルを用いた立体視表示装置の実用化にあたり鋭意研究を行なった結果、立体視表示装置における液晶レンズセル表面の外光反射が立体表示特性の低下に大きく影響していることを見出した。
この理由については、必ずしも明らかではないが以下のように推量される。
ここで、表示装置および上記表示装置の観察者側に配置された液晶レンズセルを備える立体視表示装置においては、表示装置からの透過光が液晶レンズセルを透過しやすく立体表示を良好に行えることが期待されている。しかしながら、液晶レンズセルは偏光板を必要としない構成であることから、表示装置からの透過光を透過しやすい半面、液晶レンズセル表面において外光を反射しやすい。そのため、表示装置から液晶レンズセルを透過して立体視表示を形成するための表示光と外光の反射光との両方が混ざって観察者から観察されるため、立体表示特性が低下すると推量される。
これに対し、本発明においては、液晶レンズセルの観察者側の表面上に低反射層が配置されていることにより、液晶レンズセルの観察者側の表面における外光反射を抑制することができる。よって、本発明の立体視表示装置においては、外光反射による立体表示特性の低下を抑制することができると推量される。
【００２４】
ここで、パララックスバリア基板を備えた立体視表示装置においては、通常、パララックスバリア基板の表面上には一対の偏光板が配置されて用いられる。偏光板は光反射を抑制する機能を有するものである。そのため、パララックスバリア基板を備えた立体視表示装置においては、外光反射が立体表示特性の低下に与える影響が少ない。そのため、パララックスバリア基板を備えた立体視表示装置においては、外光反射による立体表示特性の低下の問題は顕在化していないものと考えられる。
【００２５】
すなわち、本発明における課題は、液晶レンズセルを備えた立体視表示装置に特有の課題であり、外光反射と立体表示特性との関連性は今回初めて見出されたものである。
【００２６】
以下、本発明の立体視表示装置の各構成について説明する。
【００２７】
１．低反射層
本発明における低反射層は、液晶レンズセルの観察者側の表面上に配置されるものであり、立体視表示装置において、外光反射による立体表示特性の低下を抑制する機能を有するものである。
【００２８】
（１）配置
低反射層は、液晶レンズセルの観察者側の表面上に配置されていればよく、図２に示すように、液晶レンズセル３に含まれる透明基板３１ｂの観察者側の表面上に直接、低反射層４を形成することで配置されていてもよく、図３（ａ）、（ｂ）、図４（ａ）、（ｂ）および図５に示すように、液晶レンズセル３に含まれる透明基板３１ｂの観察者側の表面上に、他の層あるいは他の構成を介して低反射層４が配置されていてもよい。
なお、図２、図３（ａ）、（ｂ）、図４（ａ）、（ｂ）および図５は、本発明における低反射層および液晶レンズセルの配置について説明する概略断面図である。
【００２９】
低反射層が、液晶レンズセルに含まれる透明基板の観察者側の表面上に、他の層あるいは他の構成を介して低反射層が配置されている場合としては、図３（ａ）、（ｂ）に示すように低反射層４が低反射層用基板５上に形成されている場合や、図４（ａ）、（ｂ）および図５に示すように低反射層４がセンサー基板７上に配置された低反射層付センサー基板２０である場合が挙げられる。以下の説明においては、低反射層および低反射層用基板の積層体を低反射層付基板と称して説明する場合がある。
【００３０】
本発明において低反射層付基板を用いる場合、図３（ａ）に示すように、液晶レンズセル３と低反射層用基板５とが対向するように配置されていてもよく、図３（ｂ）に示すように、液晶レンズセル３と低反射層４とが対向するように配置されてもよいが、液晶レンズセル３と低反射層用基板５とが対向するように配置されていることがより好ましい。低反射層を立体視表示装置の観察者側の最表面に配置することができることから、外光反射による立体表示特性の低下をより効果的に抑制することができるからである。
【００３１】
本発明において上述した低反射層付センサー基板を用いる場合、図示はしないが、液晶レンズセルと低反射層とが対向するように配置されてもよく、図４（ａ）、（ｂ）に示すように、液晶レンズセル３とセンサー基板７とが対向するように配置されていてもよいが、液晶レンズセル３とセンサー基板７とが対向するように配置されていることがより好ましい。低反射層を立体視表示装置の観察者側の最表面に配置することができることから、外光反射による立体表示特性の低下をより効果的に抑制することができるからである。
【００３２】
本発明においては、図５に示すように、低反射層付センサー基板２０として、センサー基板７上に低反射層付基板が配置されているものを用いてもよい。
【００３３】
低反射層が、低反射層用基板またはセンサー基板上に形成されている場合は、低反射層が、低反射層用基板またはセンサー基板における観察者側の表面上および観察者側とは反対側の表面上の両面に形成されていてもよい。上記両面での反射が抑えられ同じ特性の低反射層を片面に設けた場合よりも視認性を良くすることができるからである。
【００３４】
本発明においては、低反射層が、上記立体視表示装置の観察者側の最表面に配置されていることが好ましい。立体視表示装置の最表面における外光反射をより効果的に抑制することができ、より良好な立体表示を行うことができるからである。
【００３５】
本発明においては、図３（ａ）、（ｂ）、図４（ａ）、（ｂ）および図５に示すように、液晶レンズ３と、上記低反射層付基板あるいは低反射層付センサー基板２０とは、接着層６を介して配置される。
接着層６は、図３（ａ）および図４（ａ）に示すように、液晶レンズ３と低反射層付基板あるいは低反射層付センサー基板２０との対向面の全面に形成されてもよく、図３（ｂ）、図４（ｂ）および図５に示すように、液晶レンズセル３と低反射層４あるいは低反射層付センサー基板２０の周辺部に形成され、液晶レンズセル３と低反射層４あるいは低反射層付センサー基板２０との間に空気層ｄができるように形成されてもよい。
上記接着層としては、透明性を有する材料からなるものであれば特に限定されるものではないが、例えば、特許３６１１２３４号公報に記載のシリコーンゴムやエチレンプロピレンゴム、国際公開第２００６／００６２６５号に記載のカルボン酸変成熱可塑性エラストマー、カルボン酸未変成熱可塑性エラストマー及び可塑剤の混合物を用いることができる。
【００３６】
（２）種類
本発明に用いられる低反射層としては、液晶レンズセルの観察者側の表面上に配置することにより、外光反射による立体表示特性の低下を抑制することができれば特に限定されない。低反射層としては、光干渉層、光吸収層、光散乱層を挙げることができる。以下、それぞれについて説明する。
【００３７】
（ａ）光干渉層
光干渉層は、光干渉層に入射した光の屈折率を変化させて干渉させることにより、外光反射を抑制するものである。
【００３８】
（ｉ）反射防止層
反射防止層は、屈折率の異なる低屈折率層および高屈折率層を積層させて構成されるものである。反射防止層は、アンチリフレクション層（ＡＲ）層とも称されるものである。
低屈折率層の屈折率としては、例えば、１．２〜１．５の範囲内であることが好ましい。また、高屈折率層の屈折率としては、例えば１．５〜２．５の範囲内であることが好ましい。
【００３９】
「屈折率」とは、波長５５０ｎｍの光に対する屈折率をいう。屈折率の測定方法は特に限定されないが、例えば、分光反射スペクトルから算出する方法、エリプソメーターを用いて測定する方法、アッベ法を挙げることができる。エリプソメーターとしてはジョバンーイーボン社製ＵＶＳＥＬが挙げられる。具体的には、テクノ・シナジー社製ＤＦ１０３０Ｒにて屈折率を測定することができる。
【００４０】
反射防止層としては、無機材料で構成されるものであってもよく、有機材料で構成されるものであってもよく、無機材料および有機材料を組み合わせて構成されていてもよい。
低屈折率層および高屈折率層については、一般的な反射防止層に用いられるものと同様とすることができ、例えば、特開２００８−２４３１５４号公報、特開２０１２−１５０２２６号公報、特開２０１３−１４２８３０号公報、特開２０１３−１４２８１７号公報等に記載の低屈折率層および高屈折率層を挙げることができる。
低屈折率層の厚みとしては、屈折率に応じて異なるが５０ｎｍ〜２００ｎｍの範囲内であることが好ましい。
また、高屈折率層の厚みとしては、屈折率に応じて異なるが５０ｎｍ〜２００ｎｍの範囲内であることが好ましい。
【００４１】
「厚み」とは、一般的な測定方法によって得られる厚みをいう。厚みの測定方法としては、例えば、触針で表面をなぞり凹凸を検出することによって厚みを算出する触針式の方法や、分光反射スペクトルに基づいて厚みを算出する光学式の方法等を挙げることができる。具体的には、ケーエルエー・テンコール株式会社製の触針式膜厚計Ｐ−１５を用いて厚みを測定することができる。なお、厚みとして、対象となる部材の複数箇所における厚み測定結果の平均値が用いられてもよい。
【００４２】
反射防止層の形成方法としては、公知の方法を用いることができ、無機材料を用いる場合は、例えば、スパッタリング法、イオンプレーティング法、真空蒸着法等のＰＶＤ法、ＣＶＤ法等が挙げられる。
有機材料を用いる場合は、例えば、硬化性樹脂組成物を塗布して硬化させる方法を挙げることができる。塗布方法としては、例えば、ダイコート法、スピンコート法、ディップコート法、ロールコート法等の透明基板の全域に硬化性樹脂組成物を塗布する方法や、インクジェット法等の透明基板上に硬化性樹脂組成物を吐出する方法、グラビア印刷法、オフセット印刷法、シルクスクリーン印刷法等の印刷法等が挙げられる。硬化性樹脂組成物の塗布後は、溶媒の除去のために乾燥させてもよい。
硬化方法としては、樹脂成分の種類に応じて異なるが、例えば熱あるいは紫外線や電子線等の電離放射線の照射が挙げられる。塗膜を硬化させる際には、酸素による硬化阻害を抑制するために、不活性ガス雰囲気、例えば窒素ガス雰囲気とすることが好ましい。また、硬化条件としては、例えば特開２０１３−１４２８１７号公報、特開２０１２−１５０２２６号公報等に記載されている条件を適用することができる。
【００４３】
（ｉｉ）微細凹凸層
微細凹凸層としては、例えば、表面にモスアイ構造等の光の波長よりも短い周期的な微細凹凸を有する樹脂層を挙げることができる。微細凹凸層およびその形成方法については、例えば、特許文献２０１２−１２８１６８号公報の反射防止層およびその形成方法を挙げることができる。
【００４４】
（ｂ）光吸収層
光吸収層は、光吸収層に入射した光の一部を吸収することで外光反射を抑制する層である。また、光吸収層は、通常、グレーに着色されているものである。
【００４５】
光吸収層としては、色材とバインダー樹脂とを含む層を挙げることができる。色材としては、例えば、カーボンブラック等の黒色色材や、赤色顔料、緑色顔料および青色顔料を混合したもの等を用いることができる。また、バインダー樹脂としては、一般的な樹脂材料を用いることができる。
また、光吸収層の厚みとしては、本発明の立体視表示装置の用途等に応じて適宜選択することができ、特に限定されないが、例えば、０．１μｍ〜１０μｍの範囲内、なかでも０．５μｍ〜７．０μｍの範囲内、特に１．０μｍ〜５．０μｍの範囲内であることが好ましい。
【００４６】
光吸収層の可視光領域の平均透過率としては、外光反射を抑制することができれば特に限定されないが、５０％〜９８％の範囲内、なかでも５０％〜９０％の範囲内、特に６０％〜８０％の範囲内であることが好ましい。光吸収層の可視光領域の平均透過率が小さいと十分に外光反射を抑制することが困難となる可能性があるからであり光吸収層の可視光領域の平均透過率が大きいと、表示装置から出射される光についても吸収しやすくなることから、立体表示を行うことが困難となる可能性があるからである。
光吸収層の可視光領域の平均透過率とは、光吸収層の透過スペクトルを可視光域全域（３８０ｎｍ〜７８０ｎｍ）にわたって平均することにより得られる値である。また、上記光吸収層の可視光領域の平均透過率は、一般的な測定方法に求めることができ、例えば、顕微分光装置ＯＳＰ−ＳＰ２０００（ＯＬＹＭＰＵＳ社製）を用いて測定することにより求めることができる。
【００４７】
光吸収層の形成方法としては、上述した色材およびバインダー樹脂を含む樹脂組成物を塗布して形成することができる。塗布方法については、上述した反射防止層の項で説明した塗布法と同様とすることができるため、ここでの説明は省略する。
【００４８】
（ｃ）光散乱層
光散乱層は、光散乱層に入射した光を散乱させることにより、外光反射を抑制する機能を有する層である。
光散乱層としては、樹脂層中に微粒子を分散させたものを用いることができ、例えば、特開２０１４−０７１１８７号公報に記載の光散乱機能層を用いることができる。
【００４９】
（ｄ）その他
本発明における低反射層としては、上述したなかでも光干渉層、光吸収層であることが好ましく、特に光干渉層であることが好ましい。光干渉層は外光反射を抑制する効果が高く、本発明の立体視表示装置において外光反射による立体表示の低下をより効果的に抑制することができるからである。
【００５０】
（３）低反射層用基板
本発明においては、図３（ａ）、（ｂ）に示すように、低反射層４は低反射層用基板５上に配置されていてもよい。この場合、低反射層は、通常、低反射層用基板上に直接形成されて配置される。
【００５１】
低反射層用基板としては、通常、透明基板が用いられる。
上記透明基板の材料は、化学強化ガラス、ソーダガラス、石英ガラス、無アルカリガラス等のガラス類等の剛性が大きい材料であっても良いが、可撓性を有する液晶レンズセルとする場合には、ポリカーボネート、ポリアクリル酸エステル、ポリメタクリル酸エステルなどの樹脂類および他の無機材料類等ならびにこれらの組み合わせ等の可撓性を有する材料であることが好ましい。可撓性を有する液晶レンズセル、さらには可撓性を有する立体視表示装置を容易に得ることができるからである。
上記透明基板の膜厚等については、本発明の立体視表示装置の用途等に応じて適宜選択することができる。
【００５２】
（４）センサー基板
本発明においては、図４（ａ）、（ｂ）、図５に示すように、低反射層４は、センサー基板７上に配置されていてもよい。また、この場合、図６（ａ）〜（ｃ）に示すように、センサー基板７上に低反射層４が直接形成されていてもよい。また、図６（ｄ）に示すように、上述した低反射層用基板５上に低反射層４が形成されたものとセンサー基板７とが接着層６を介して貼り合わされていてもよい。
【００５３】
図６（ａ）〜（ｄ）に示すように、センサー基板７は、通常、支持基板７１と、支持基板７１上に形成されたセンサー７２とを有するものである。センサー基板７上に低反射層４が直接形成されている場合、例えば、図６（ａ）に示すように、低反射層４がセンサー７２が形成されている表面上に形成されていてもよく、図６（ｂ）に示すように、低反射層４がセンサー７２が形成されている表面とは反対側の表面上に形成されていてもよい。また、図６（ｃ）に示すように、支持基板７１の両面にセンサー７２が形成されている場合は、通常、一方のセンサー７２が形成されている表面上に低反射層４が形成される。
図６（ａ）〜（ｄ）は、本発明に用いられる低反射層付センサー基板の一例および他の例を示す概略断面図である。
【００５４】
センサーの機能としては、本発明の立体視表示装置の用途等に応じて適宜選択することができ、特に限定されず、例えば、接触式電気センサー機能、赤外線センサー、光センサー、タッチパネルセンサー等を挙げることができる。
具体的なセンサーの構成については、一般的なものとすることができる。
また、支持基板としては、上述した透明基板を用いることができる。
【００５５】
２．液晶レンズセル
本発明における液晶レンズセルは、上記表示装置の観察者側の表面上に配置されたものである。
【００５６】
上記液晶レンズセルは、液晶層内に電界をかけて液晶層中の液晶分子の配向を変化させることでレンチキュラーレンズ機能を付与することにより、表示装置に表示された左眼画像と右眼画像とを分離して裸眼立体視を可能にするものである。
このような液晶レンズセルとしては、例えば、特許文献３や特許文献４に記載されるように、２枚の電極層を有する透明基板と、両透明基板間に形成された液晶層とを有するものを用いることができる。
より具体的には、図２等に例示するように、透明基板３１ａ、電極層３２ａ、配向層３３ａ、液晶層３４、配向層３３ｂ、電極層３２ｂおよび透明基板３１ｂがこの順で積層された液晶セル構造を有するものを用いることができる。また、２枚の透明基板（３１ａおよび３１ｂ）間の厚みを固定し、上記液晶層３４のギャップを一定に維持するスペーサ３５を有するものを用いることができる。図２においては、通常、透明基板３１ａ側が表示装置と対向するように配置されるものである。
また、上記液晶レンズセルに用いられる液晶層の厚みとしては、精度良く裸眼立体視を可能とすることができるものであれば特に限定されるものではないが、例えば、３０μｍ〜１００μｍの範囲内とすることができる。
【００５７】
上記液晶レンズセルは可撓性を有するものであることが好ましい。本発明の立体視表示装置を可撓性を有するものとすることが可能となり、軽量化、割れにくい表示装置の実現において有用であり、曲面への適用等、種々のアプリケーションへの適用可能性が広がるという利点を有するからである。
【００５８】
３．表示装置
本発明における表示装置は、左眼画像と右眼画像とを表示することができるものであれば特に限定されない。表示装置としては、例えば、透過型液晶表示装置、有機エレクトロルミネッセンス表示装置（以下、有機エレクトロルミネッセンスを有機ＥＬと称して説明する場合がある。）、ＭＥＭＳディスプレイ等を挙げることができる。
【００５９】
液晶表示装置としては、一般的な液晶表示装置を用いることができ、例えば、透明基板の上方にカラーフィルタ層、透明電極層および配向膜が順に形成された前面基板と、基板の上方に背面電極層、配向膜が順に形成された背面基板との間に液晶層が配置されたもの等を挙げることができる。また、液晶表示装置には、ＴＦＴ、バックライト等が形成されていてもよい。
液晶表示装置を構成する各部材は、一般的な液晶表示装置と同様とすることができる。
液晶表示装置の表示方式としては、通常、透過型または半透過型の表示方式が用いられる。
【００６０】
有機ＥＬ表示装置としては、一般的な有機ＥＬ表示装置を用いることができ、例えば、透明基板と、透明基板の上方に形成された透明電極層と、透明電極層の上方に形成され、少なくとも発光層を含む有機ＥＬ層と、有機ＥＬ層の上方に形成された背面電極層と、背面電極層の上方に配置された封止基板とを有するもの等を挙げることができる。また、有機ＥＬ表示装置には、絶縁層、隔壁、ＴＦＴ等が形成されていてもよい。
有機ＥＬ表示装置を構成する各部材は、一般的な有機ＥＬ表示装置と同様とすることができる。
【００６１】
４．その他
本発明の立体視表示装置の製造方法としては、上記構成の立体視表示装置を製造することができれば特に限定されず、公知の表示装置の製造方法と同様とすることができる。
【００６２】
本発明の立体視表示装置の用途としては、例えば、テレビ、携帯ゲーム機、携帯端末、スマートフォン、デジタルサイネージ等を挙げることができる。本発明の立体視表示装置としては、なかでも、屋外等で使用可能なものであることが好ましい。本発明の立体視表示装置の機能を高く発揮することができるからである。
【００６３】
Ｂ．低反射層付液晶レンズセル
本発明の低反射層付液晶レンズセルは、液晶レンズセルと、上記液晶レンズセルの観察者側の表面上に配置された低反射層とを有することを特徴とするものである。
【００６４】
本発明の低反射層付液晶レンズセルについて図を用いて説明する。
図２、図３（ａ）、（ｂ）、図４（ａ）、（ｂ）および図５は本発明の低反射層付液晶レンズセルの一例および他の例を示す概略断面図である。図２等に示すように、本発明の低反射層付液晶レンズセル１０は、液晶レンズセル３と、上記液晶レンズセル３の観察者側の表面上に配置された低反射層４とを有することを特徴とするものである。なお、図２、図３（ａ）、（ｂ）、図４（ａ）、（ｂ）および図５の詳細については、上述した「Ａ．立体視表示装置」の項で説明した内容と同様であるため、ここでの説明は省略する。
【００６５】
本発明によれば、上記低反射層を有することにより、立体視表示装置とした際に良好な立体表示を行うことが可能な低反射層付液晶レンズセルとすることができる。
【００６６】
本発明の低反射層付液晶レンズセルにおける低反射層および液晶レンズセルについては上述した「Ａ．立体視表示装置」の項で説明した内容と同様とすることができるため、ここでの説明は省略する。
【００６７】
Ｃ．低反射層付センサー基板
本発明の低反射層付センサー基板は、表示装置と、上記表示装置の観察者側の表面上に配置された液晶レンズセルとを備える立体視表示装置に用いられ、上記液晶レンズセルの観察者側の表面上に配置されるものであって、センサー基板と、上記センサー基板の観察者側の表面上に配置された低反射層とを有することを特徴とするものである。
【００６８】
本発明の低反射層付センサー基板について図を用いて説明する。
図６（ａ）〜（ｄ）は本発明の低反射層付センサー基板の一例および他の例を示す概略断面図である。図６（ａ）〜（ｄ）に示すように、本発明の低反射層付センサー基板２０は、センサー基板７と、センサー基板７上に配置された低反射層４とを有するものである。図６（ａ）〜（ｄ）の詳細については、上述した「Ａ．立体視表示装置」の項で説明した内容と同様とすることができるため、ここでの説明は省略する。
また、本発明の低反射層付センサー基板は、立体視表示装置において、表示装置と、上記表示装置の観察者側の表面上に配置された液晶レンズセルとを備える立体視表示装置に用いられるものである。また、本発明の低反射層付センサー基板２０は、図４（ａ）、（ｂ）および図５に示すように、上記液晶レンズセル３の観察者側の表面上に配置されるものである。
【００６９】
本発明によれば、低反射層を有することにより、上記構成を有する立体視表示装置とした際に良好な立体表示を行うことが可能な低反射層付センサー基板とすることができる。
【００７０】
本発明における低反射層およびセンサー基板については、上述した「Ａ．立体視表示装置」の項で説明した内容と同様とすることができるため、ここでの説明は省略する。
【００７１】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００７２】
以下、本発明について、実施例を挙げてより詳細に説明する。
【００７３】
［実施例１］
＜液晶表示装置の作製＞
以下の手順により液晶セルを作製した。
まず、ガラス基板上（ＡＮ１００、旭硝子社製）に所定のブラックマトリックス、およびその開口部にＲＧＢ着色パターンが形成されたカラーフィルタ基板を用意した。次に、上記ブラックマトリックスおよび上記ＲＧＢ着色パターンが形成された上記ガラス基板上に保護層を形成した。その後、所定の位置にフォトスペーサーを形成した。上記カラーフィルタ基板にシール材で土手を形成後、真空中でＩＰＳ液晶を滴下しＴＦＴ基板と貼り合わせて封止した。その後、偏光板を所定の位置に配置した。これにより、液晶セルを得た。
【００７４】
次に、以下の手順によりバックライトユニットを作製した。
ＢＬＵＥ−ＬＥＤとＹＡＧ蛍光体を含む素子を導光板の一端に複数個配置した。次に、正面輝度が最大となるように輝度向上フィルム(DBEF-D2-550、3M社製)を上記導光板上に設置した。これにより、バックライトユニットを得た。
【００７５】
上記液晶セルと上記バックライトユニットを所定の筐体にセットして液晶表示装置を作製した。
【００７６】
＜液晶レンズセルの作製＞
以下の手順により液晶レンズセルを得た。
ガラス基板上全面にＩＴＯ（厚み１０００Å）を形成後、遮光層をパターニングして形成した。その後、上記遮光層上にフォトスペーサー(高さ５０μｍ)を形成した。上記ＩＴＯ、上記遮光層および上記フォトスペーサーが形成された上記ガラス基板上にシール材で土手を形成後、真空中でＴＮ液晶を滴下しＴＦＴ基板と貼り合わせて封止した。これにより、液晶レンズセルを得た。
【００７７】
＜低反射層付基板の作製＞
以下の手順により低反射層付基板を作製した。
低反射層用基板として、強化ガラス基板(Dragon Trail、旭硝子社製)を準備した。次に、上記強化ガラス基板上にアンカー層(膜厚５μｍ、屈折率１．５１）、高屈折率層(膜厚１５０ｎｍ、屈折率１．６５)、低屈折率層(膜厚１００ｎｍ、屈折率１．３５)を順次形成して低反射層付基板を得た。なお、上記屈折率は、波長５５０ｎｍの光に対する屈折率である。
【００７８】
＜低反射層付液晶レンズ表示装置の作製＞
上記液晶表示装置、上記液晶レンズセル、上記低反射層用基板の順に光学弾性樹脂で接着し、低反射層付液晶レンズ表示装置を得た。この時、上記低反射層は観察者側となるように設置した。
【００７９】
［実施例２］
上記低反射層付基板の上記低反射層形成面とは反対面にｘ走査線（ＩＴＯ：厚み１０００Å）、絶縁層(厚み２μｍ)、ｙ走査線（ＩＴＯ：厚み１０００Å）を形成して静電容量方式のタッチパネル用センサー基板を作製した以外は実施例１と同様にして低反射層付液晶レンズ表示装置を得た。
【００８０】
［実施例３］
上記低反射層を液晶レンズセルを構成する基板の観察者側に直接形成して、液晶表示装置と液晶レンズセルで低反射層付液晶レンズ表示装置を作製した以外は実施例１と同様にして低反射層付液晶レンズ表示装置を得た。
【００８１】
［実施例４］
液晶レンズセルと低反射層付基板の外周にシールテープを設置して、液晶レンズセルと低反射層用基板の間にエアーギャップを設けた以外は実施例１と同様にして低反射層付液晶レンズ表示装置を得た。この時、上記低反射層は観察者側の反対側となるように設置した。
【００８２】
［実施例５］
低反射層用基板の両面に低反射層を設けた以外は実施例４と同様にして低反射層付液晶レンズ表示装置を得た。
【００８３】
［比較例］
低反射層用基板に低反射層を設けなかった以外は実施例１と同様にして液晶レンズ表示装置を得た。
【００８４】
＜評価＞
目視評価にて立体視の視認性の評価を実施した。比較例の立体視表示装置においては、表示された立体像がぼやけて観察された（像ボケが発生した）が、実施例１〜５については、表示された立体像がぼやけずに観察された（像ボケが発生しなかった）。結果を表１に示す。表１においては、像ボケが発生した場合を×、像ボケが発生しなかった場合を○で示している。
【００８５】
【表１】
2016040569.tif 000003
【符号の説明】
【００８６】
１  …  立体視表示装置
２  …  表示装置
３  …  液晶レンズセル
４  …  低反射層
５  …  低反射層用基板
６  …  接着層
７  …  センサー基板
１０  …  低反射層付液晶レンズセル
２０  …  低反射層付センサー基板
【図１】
2016040569.tif 000004
【図２】
2016040569.tif 000005
【図３】
2016040569.tif 000006
【図４】
2016040569.tif 000007
【図５】
2016040569.tif 000008
【図６】
2016040569.tif 000009